(57)【特許請求の範囲】
【請求項１】
上側を覆う天井板と、両側に配設された側面パネルと、後側に配設された裏面パネルと、前記側面パネルおよび裏面パネルの下側に配設された底板と、前面にスライド可能に取り付けられ閉塞状態で前面壁を構成すると共に一方または両方にスライドさせることで開閉し得る単体または一対のシャッタとを備えて最上段ロッカー部を構成し、前記底板がその上面に前記側面パネル、裏面パネルおよびシャッターの夫々の下端部が入り込んで取り付けられる上側嵌合溝を形成すると共に、その下面に前記同様の側面パネル、裏面パネルおよびシャッタの夫々の上端部が入り込んで取り付けられる下側嵌合溝を形成して構成され、この底板の下側にこの底板を天井側の板としてさらに前記同様の側面パネル、裏面パネルおよびシャッタを取り付けて複数段にロッカー部を積み重ねて構成し、最下段ロッカー部以外の底板には、上段ロッカー部と下段ロッカー部とに連通する連通孔を形成したホームロッカーにおいて、該ホームロッカーの最下段ロッカー部以外の底板には前記シャッターが通過する連通孔に当接した側面を傾倒自在に可動とする可動アームを備えたことを特徴とするホームロッカー。
【請求項２】
前記可動アームは、ロッカー側柱方向へ跳ね上げ回動可能に形成されているものとした請求項１記載のホームロッカー。
【請求項３】
前記可動アームの軸支側近傍の少なくとも上面側には該可動アームをロッカー側柱方向へ回動させたときにロッカー側柱の凹部と係合する係合突起を備えている請求項１または２記載のホームロッカー。
【発明の詳細な説明】
【０００１】
【発明の属する技術分野】
本発明は、主として背の高い物品も収納できるようにした横開きシャッタ式のホームロッカーに関するものである。
【０００２】
【従来の技術】
従来、出願人自身が既に出願した登録実用新案第３０２０２９２号他公報に開示されている技術がある。すなわち、上側を覆う天井板と、両側に配設された側面パネルと、後側に配設された裏面パネルと、前記側面パネルおよび裏面パネルの下側に配設された底板と、前面にスライド可能に取り付けられ閉塞状態で前面壁を構成すると共に一方または両方にスライドさせることで開閉し得る単体または一対のシャッタとを備えて最上段ロッカー部を構成し、前記底板がその上面に前記側面パネル、裏面パネルおよびシャッターの夫々の下端部が入り込んで取り付けられる上側嵌合溝を形成すると共に、その下面に前記同様の側面パネル、裏面パネルおよびシャッタの夫々の上端部が入り込んで取り付けられる下側嵌合溝を形成して構成され、この底板の下側にこの底板を天井側の板としてさらに前記同様の側面パネル、裏面パネルおよびシャッタを取り付けて複数段にロッカー部を積み重ねて構成し、最下段ロッカー部以外の底板には、上段ロッカー部と下段ロッカー部とに連通する連通孔を形成した技術が提供されている。
【０００３】
【発明が解決しようとする課題】
しかしながら従来のホームロッカーでは、上記連通孔を介して背の高い物品を上段ロッカー部と下段ロッカー部とに跨がって収納する場合、最下段ロッカー部以外のシャッターが通過する連通孔に当接した底板側面が邪魔になるため、長尺物を上段ロッカー部側から下段ロッカー部側へ差し込むようにして連通孔に挿入するか、または下段ロッカー部側から上段ロッカー部側へ連通孔を介して挿入するかして収納させなければならず、ホームロッカーに対する長尺収納物の搬入、搬出等が非常に困難となる問題点を有していた。
【０００４】
そこで本発明は、叙上のような従来存した問題点に鑑み創出されたもので、従来のホームロッカーに比して、長尺収納物の搬入、搬出が容易となりホームロッカーの使い易さを向上させ、物品の搬入時の煩わしさを無くすように改良を加えたホームロッカーを提供することを目的としたものである。
【０００５】
【課題を解決するための手段】
このため、本発明にあっては、上側を覆う天井板と、両側に配設された側面パネルと、後側に配設された裏面パネルと、前記側面パネルおよび裏面パネルの下側に配設された底板と、前面にスライド可能に取り付けられ閉塞状態で前面壁を構成すると共に一方または両方にスライドさせることで開閉し得る単体または一対のシャッタとを備えて最上段ロッカー部を構成し、前記底板がその上面に前記側面パネル、裏面パネルおよびシャッターの夫々の下端部が入り込んで取り付けられる上側嵌合溝を形成すると共に、その下面に前記同様の側面パネル、裏面パネルおよびシャッタの夫々の上端部が入り込んで取り付けられる下側嵌合溝を形成して構成され、この底板の下側にこの底板を天井側の板としてさらに前記同様の側面パネル、裏面パネルおよびシャッタを取り付けて複数段にロッカー部を積み重ねて構成し、最下段ロッカー部以外の底板には、上段ロッカー部と下段ロッカー部とに連通する連通孔を形成したホームロッカーにおいて、該ホームロッカーの最下段ロッカー部以外の底板には前記シャッターが通過する連通孔に当接した側面を傾倒自在に可動とする可動アームを備えたことで、上述した課題を解決した。
また、前記可動アームは、ロッカー側柱方向へ跳ね上げ回動可能に形成されているものとしたことで、同じく上述した課題を解決した。
さらに、前記可動アームの軸支側近傍の少なくとも上面側には該可動アームをロッカー側柱方向へ回動させたときにロッカー側柱の凹部と係合する係合突起を備えているものとしたことで、同じく上述した課題を解決した。
【０００６】
本発明に係るホームロッカーにあって、シャッターが通過する連通孔に当接した、最下段ロッカー部以外の底板側面を傾倒自在に可動とした可動アームは、長尺収納物の搬入、搬出時にロッカー側柱方向へ跳ね上げ回動されて、底板の連通孔に当接した側面のみが開放され凹溝状の開口部となってホームロッカー内への長尺収納物の搬入、搬出を可能とさせる。
また、可動アームの軸支側近傍の上面側に設けた係合突起は、該可動アームをロッカー側柱方向へ回動させたときにロッカー側柱の凹部と係合され、長尺収納物の搬入、搬出時に一旦ロッカー側柱方向へ跳ね上げ回動された可動アームがロッカー側柱から転倒復帰するのを回避させ、事故を防止させる。
【０００７】
【発明の実施の形態】
以下、図面を参照して本発明の実施の形態を説明するに、図において示される符号１は、主として背の高い物品も収納できるようにした横開きシャッタ構造の多段式のホームロッカーであり、該ホームロッカー１は、図１に示すように、プラスチック製の材料により、袴板２を介して上段ロッカー部３と下段ロッカー部４とに例えば２段に積み重ねて構成されてある。そして、上段ロッカー部３は、上側を覆う天井板５と、両側に配設された側面パネル６Ａと、後側に配設された裏面パネル７Ａと、側面パネル６Ａおよび裏面パネル７Ａの下側に配設されて底板を構成する袴板２、前面にスライド可能に取り付けられ閉塞状態で前面壁を構成すると共に一方または両方にスライドさせることで開閉し得る単体または一対のシャッタ８Ａとを備えている。このとき袴板２には、その上面に前記側面パネル６Ａ、裏面パネル７Ａおよびシャッター８Ａの夫々の下端部が入り込んで取り付けられる上側嵌合溝９Ａを形成すると共に、その下面には上段ロッカー部３と同一構成の下段ロッカー部４を構成する側面パネル６Ｂ、裏面パネル７Ｂおよびシャッタ８Ｂの夫々の上端部が入り込んで取り付けられる下側嵌合溝１０を形成してある。すなわち、この袴板２の下側に該袴板２自体を天井側の板としてさらに前記同様の側面パネル６Ｂ、裏面パネル７Ｂおよびシャッタ８Ｂを取り付けて２段にロッカー部を積み重ねて構成してある。また、下段ロッカー部４の底板１１の上面縁部側には上側嵌合溝９Ｂが形成してある。尚、本実施の形態においては上段ロッカー部３と下段ロッカー部４との２段式構造によるものとしているが、２段以上の複数段にロッカー部を積み重ねて構成しても良いことは勿論である。
【０００８】
そして、図２に示すように、袴板２には特に背の高い物品も容易に収納できるように上段ロッカー部３と下段ロッカー部４とに連通する連通孔１２を形成してあり、また袴板２には、図３、図４に示すように、前記シャッター８Ａが通過する連通孔１２に当接した袴板２側面のみを傾倒自在に可動とする可動アーム１３を備えてある。すなわち、可動アーム１３は、袴板２側面の連通孔１２に当接した長さ部分を切断して、側面パネル６Ａ前端側のロッカー側柱方向へ跳ね上げ回動可能となるように末端がロッカー側柱近傍に支持軸１４を介して枢着され、先端には係合部１５を設けて袴板２の切断箇所の被係合部１６に係架させることで切断された上側嵌合溝９Ａが連繋されて元の袴板２形状に復帰できるようにしてある。したがって、袴板２の連通孔１２に当接した側面のみが開放されることにより、連通孔１２自体が凹溝状の開口部となってホームロッカー１内への長尺収納物の搬入、搬出を可能とさせるのである。
【０００９】
また、ロッカー側柱には凹部１７を設け且つ前記可動アーム１３の支持軸１４側近傍の上面側には凹部１７に対向する略Ｌ字状の係合突起１８を設けてあり  （図５参照）、可動アーム１３を側面パネル６Ａ前端側のロッカー側柱方向へ跳ね上げ回動させたときに該可動アーム１３がロッカー側柱から転倒復帰してしまうのを回避させるために可動アーム１３の係合突起１８をロッカー側柱の凹部１７に係合させて固定できるようにしてある。
【００１０】
尚、図示例にあって、この可動アーム１３は前記ロッカー側柱方向へ跳ね上げ回動させる替わりに下方へ傾倒回動させ、下段ロッカー部４の側面パネル６Ｂ前端側のロッカー側柱へ接合するように構成することも可能である。
【００１１】
次に、本発明の使用の一例を説明するに、図１に示すように、ホームロッカー１の上段ロッカー部３または下段ロッカー部４のいずれかに物品を収納したり取り出したりする場合には、個々にシャッタ８Ａまたはシャッタ８Ｂを開閉させれば良く、さらに、背の高い長尺物品を収納したり取り出したりする場合には、先ずシャッタ８Ａとシャッタ８Ｂを開けてから可動アーム１３をロッカー側柱方向へ跳ね上げ回動させ、連通孔１２に当接した側面のみを開放させて凹溝状の開口部としてからホームロッカー１内へ長尺収納物を収納すれば良い。そして、収納後には可動アーム１３を傾倒させて元の袴板２形状に復帰させてからシャッタ８Ａとシャッタ８Ｂとを閉塞しロックさせれば良い。
【００１２】
【発明の効果】
本発明は以上のように構成されており、特に長尺収納物の搬入、搬出時に可動アームをロッカー側柱方向へ跳ね上げ回動させて底板の連通孔に当接した側面のみが開放され凹溝状の開口部となってホームロッカー内への長尺収納物の搬入、搬出を可能とさせるため、従来のホームロッカーに比して、長尺収納物の搬入、搬出が容易となりホームロッカーの使い易さを向上させ、物品の搬入時の煩わしさを無くすことができる。
【００１３】
また、可動アームの軸支側近傍の少なくとも上面側には該可動アームをロッカー側柱方向へ回動させたときにロッカー側柱の凹部と係合する係合突起を備えてあるので、長尺収納物の搬入、搬出時に一旦ロッカー側柱方向へ跳ね上げ回動された可動アームがロッカー側柱から不用意に転倒復帰するのを回避させ、事故を防止させる。
【図面の簡単な説明】
【図１】本発明の実施の形態を示したホームロッカーの斜視図である。
【図２】同じく可動アーム周辺の概略を示す斜視図である。
【図３】同じく可動アームの閉塞状態の支持軸周辺の概略を示す断面図である。
【図４】同じく可動アームの開放状態の支持軸周辺の概略を示す斜視図である。
【図５】同じく可動アームの係合突起周辺の概略を示す斜視図である。
【符号の説明】
１…ホームロッカー                  ２…袴板
３…上段ロッカー部                  ４…下段ロッカー部
５…天井板                          ６Ａ，６Ｂ…側面パネル
７Ａ，７Ｂ…裏面パネル              ８Ａ，８Ｂ…シャッタ
９Ａ，９Ｂ…上側嵌合溝              １０…下側嵌合溝
１１…底板                          １２…連通孔
１３…可動アーム                    １４…支持軸
１５…係合部                        １６…被係合部
１７…凹部                          １８…係合突起
【図１】
0003729603.tif 000002
【図２】
0003729603.tif 000003
【図３】
0003729603.tif 000004
【図４】
0003729603.tif 000005
【図５】
0003729603.tif 000006